(57)【要約】      （修正有）【課題】同期又は非同期型の三相電源を有する電動機の制御のために、調速機において、磁束減少時に、実行される基準の修正方法とシステムを提供する。【解決手段】電動機（Ｍ）に加えられる制御電圧制限値（ｕ）と算出された基準電圧値（ｕｒｅｆ）の差を入力とする、少なくとも一つの積分器（Ｉｎｔ）を備えた、制御対象の電動機モデルである動的システム（ＭＭ）を使用することにある。【選択図】図１
2006262689.tif 000002
【特許請求の範囲】
【請求項１】
電流及び磁束基準（ｘｒｅｆ）が、電動機（Ｍ）に加えられる基準電圧（ｕｒｅｆ）の算出に使用される制御法に従う調速機に用いられた、三相電源を有する電動機（Ｍ）の制御のための方法において、
計算された基準電圧（ｕｒｅｆ）が制限値（ｕｌｉｍ）を上回る値であった場合、電流及び磁束基準（ｘｒｅｆ）の修正値（ｘｃ）の決定するステップと、
この修正値（ｘｃ）を電流及び磁束基準（ｘｒｅｆ）に印加するステップと、を備え、
電動機（Ｍ）に加えられる制御電圧の制限値（ｕ）と算出された基準電圧値（ｕｒｅｆ）との差を入力として有する、少なくとも一つの積分器（Ｉｎｔ）を備えた、制御対象の電動機（Ｍ）のモデルである動的システム（ＭＭ）により電流及び磁束基準（ｘｒｅｆ）の修正値（ｘｃ）が計算されることを特徴とする方法。
【請求項２】
計算された基準電圧値（ｕｒｅｆ）が制限値（ｕｌｉｍ）を上回る値であった場合、電動機に加えられる制御電圧（ｕ）は制限値（ｕｌｉｍ）に等しいことを特徴とする請求項１に記載の方法。
【請求項３】
三相電源を有する電動機用調速機において使用される制御システムにおいて、上記システムは、特に電流及び磁束基準（ｘｒｅｆ）に応じて、電動機（Ｍ）に加えられる基準電圧（ｕｒｅｆ）を計算するための手段（１０）を有し、上記システムは、電流及び磁束基準（ｘｒｅｆ）への修正値（ｘｃ）を算出し、基準電圧（ｕｒｅｆ）が制限値（ｕｌｉｍ）を上回る値であった場合に適用されるこの電流及び磁束基準（ｘｒｅｆ）への修正値（ｘｃ）を適用するための手段を有することを特徴とし、修正値（ｘｃ）は、電動機（Ｍ）に加えられる制御電圧制限値（ｕ）と算出された基準電圧値（ｕｒｅｆ）の差を入力とする、少なくとも一つの積分器（Ｉｎｔ）を備えた、制御対象の電動機のモデルである動的システム（ＭＭ）により計算されるシステム。
【請求項４】
計算された基準電圧（ｕｒｅｆ）が制限値（ｕｌｉｍ）を上回る値であった場合に、電動機（Ｍ）に加えられる制御電圧（ｕ）を制限値（ｕｌｉｍ）に等しい値に制限する手段（２０）をも有することを特徴とする請求項３に記載のシステム。
【発明の詳細な説明】
【技術分野】
【０００１】
本発明は、例えば同期又は非同期型の三相電源を有する電動機の制御のために、調速機に用いられた基準値の修正方法とシステムに関する。本発明は、速度測定値の帰還が行われない開ループ型、速度測定値の帰還が行われる閉ループ型にかかわらず、従来のベクトル制御の方式において用いられる。
【背景技術】
【０００２】
開ループ型の従来のベクトル制御の方式において、電動機に印加される磁束の基準値、及び速度（又は周波数）基準値入力を適用することは知られている。これら２つのデータ、及び電動機のそれぞれの位相上での電流測定値に応じて、基準磁束電流、及び基準トルク電流が決定される。これら２つの電流から、電動機モデルの方程式を用いて、電動機に加える制御電圧が算出される。既知のように、これらの電圧は、ＰＷＭインバーターと呼ばれるパルス幅変調制御の一般的な電圧インバーターを用いて電動機に加えられる。このようなＰＷＭインバーターは、電圧制御法により、幅変調、及び正又は負の一連の一定振幅パルスを電動機に送出する。
【０００３】
このベクトル制御方式においては、入力で電動機の公称速度を上回る速度基準と一定磁束基準を指定する場合、これらの基準から算出される電圧は配電網上で利用可能な電圧、あるいは給電対象の電動機用に決定された電圧制限に適応しないことがあることが知られている。このような状況下では、一定値に磁束を維持することは困難であり、そのため、電動機上のトルク、速度、電流の振動といった不安定な状況が引き起こされる。この不安定な領域を磁束減少領域と呼ぶ。
【０００４】
この問題は、特許文献１において記述されており、算出基準電圧が、インバーターが供給できる電圧を上回った場合に基準磁束を修正することが提案されている。このために、システムは、基準電圧と、インバーターが供給可能な最大電圧とを比較する。算出された差異は、基準磁束に適用する修正値を決定するために用いられる。基準磁束は、インバーター用の基準電圧がインバーターの供給できる最大電圧以下である限り修正される。このようにして、磁束基準と実際磁束は常に適応することとなり、それにより、磁束減少が回避される。
【０００５】
しかしながら、このシステムにおいては、電流基準は動的に修正されず、そのため、電圧制限範囲とそれ以外の範囲におけるシステムの同一な安定特性は保証されない。
【特許文献１】米国特許５２０４６０７号明細書
【発明の開示】
【発明が解決しようとする課題】
【０００６】
従って、本発明の目的は、弱め磁束領域（電圧制限内）においてもそれ以外の領域（電圧制限外）においても電動機制御の同一な安定特性を保持することを可能にする、電動機制御のために調速機に用いられる基準の修正の方法とシステムを提案することである。
【課題を解決するための手段】
【０００７】
このため、本発明は、調速機の制御法の入力で加えられる電流、及び磁束の基準の動的修正を行う。
【０００８】
本発明は、特に、電流及び磁束基準が電動機に加えられる基準電圧の算出に使用される制御法により機能する調速機に実装された、三相電源を有する電動機の制御のための方法に関し、上記方法は、計算された基準電圧が制限値を上回る値であった場合、電流及び磁束基準の修正値を算出し、この修正値を電流及び磁束基準に印加するステップとを備え、電流及び磁束基準の修正値が、電動機に適用される制御電圧制限値と算出された基準電圧値との差を入力とする少なくとも一つの積分器を備えた、制御対象の電動機のモデルである動的システムにより計算されることを特徴とする。
【０００９】
先行技術に反し、本発明の方法では、基準磁束と基準電流、双方の動的な修正が可能となり、それにより、制御電動機モデルと規模が等価な全般調整システムを所有できることになる。
【００１０】
本方法の一つの特徴によれば、算出された基準電圧が制限値を上回る値であった場合、電動機に加える制御電圧は制限値に等しくなる。
【００１１】
本発明は、また、三相電源を有する電動機用調速機において使用される制御システムに関し、上記システムは、特に電流及び磁束基準に応じて、電動機に加えられる基準電圧を計算するための手段を有し、上記システムは、電流及び磁束基準への修正値を算出し、基準電圧が制限値を上回る値であった場合に適用されるこの電流及び磁束基準の修正値を適用するための手段を有することを特徴とし、修正値は、電動機に加えられる制御電圧制限値と算出された基準電圧値の差を入力とする、少なくとも一つの積分器を備えた、制御対象の電動機モデルである動的システムにより計算される。
【００１２】
一つの特徴によれば、このシステムは、算出された基準電圧が制限値を上回る値であった場合、電動機に加える制御電圧を制限値に等しい値に制限する手段をも有する。
【００１３】
本発明によれば、磁束減少時に、電動機制御における安定特性を保持するために、電動機モデルを遵守しつつ、電流及び磁束基準の動的修正を行う。
【００１４】
その他の特性や利点は、例として示し、添付図面に図示した実施の態様を参照した以下の詳細な説明から明らかになる。
【発明を実施するための最良の形態】
【００１５】
図１は、灰色部分が本発明を構成する工程を表す、電動機用調速機に用いられるベクトル制御の図を示す。
【００１６】
図２は、電流及び磁束基準の動的修正を行うために本発明で用いられる電動機モデルの機能を方式化して示す。
電動機Ｍの慣例的数学モデルは、次のような等式で表すことができる。
【数１】
2006262689.tif 000003
ここで、ｉｄは固定子の磁束電流であり、ｉｑは電動機のトルク電流であり、ψｒは回転子磁束であり、又、Ｖｄ及びＶｑは電動機に加える制御電圧である。
【００１７】
Ａ及びＢは、回転子の速度、及び電動機のパラメーターから値が算出されるマトリックスである。この等式に関する補足情報は、米国特許６２８１６５９号明細書に記載されている。
この等式（１）は、次のように表すことができる。
【数２】
2006262689.tif 000004
ここで、ｘは、制御対象のシステムの状態を表し、電動機に送出される電流、及び回転子磁束に対応し、ｕは、電動機に加えられる制御電圧を表す。
【００１８】
電動機制御の目的は、システムの状態ｘを下記の等式（３）で定義される基準ｘｒｅｆに調整するために電圧制御ｕを創出することである。
図１によれば、上記の等式（２）により定義された電動機Ｍの数学モデルから、入力で適用されるｘｒｅｆによって定義された電流及び磁束基準は、次のように定義できる。
【数３】
2006262689.tif 000005
ここで、ｕｒｅｆは、電流及び磁束基準ｘｒｅｆ、速度基準Ｗｒｅｆから計算され、電動機Ｍに加えるための基準制御電圧であり、Ｃは、ｘの調整項である。従って、電動機モデルの方程式から算出される基準電圧ｕｒｅｆ（１０、図１）は、次の等式（４）により定義される。
【数４】
2006262689.tif 000006
【００１９】
特に入力で指定される速度、磁束基準が不均一である場合、算出された基準電圧ｕｒｅｆは、配電網により送出される電圧、又は電動機Ｍの正常な機能のために特定化された制限電圧と適応しないこともある。
【００２０】
このような状況下では、基準電圧値ｕｒｅｆが電圧制限値ｕｌｉｍをノルム（大きさ）で上回った場合、算出された基準電圧ｕｒｅｆを、例えばノルムで既定の制限値ｕｌｉｍに等しいような値ｕに制限できる電圧制限装置（２０）を使用する。この制限値ｕｌｉｍは、例えば、配電網から送出される最大電圧値、又は、電動機Ｍに加えることのできる最大電圧値に対応してもよい。電動機に実際に加えられる電圧は、従って、電圧ｕｒｅｆではなく値ｕｌｉｍに等しいノルムの電圧ｕである。
システムの状態と電流及び磁束基準ｘｒｅｆの差のダイナミックスは次の等式で定義される。
【数５】
2006262689.tif 000007
基準電圧が電圧制限値を下回っている限り、ｕとｕｒｅｆの値は等しい。従って次の式が得られる。
【数６】
2006262689.tif 000008
【００２１】
しかしながら、電圧制限時には、上記の項ｕ−ｕｒｅｆは、ゼロではない。回転子の磁束を一定に維持することが不可能な弱め磁束領域に位置しており、そのため、電動機Ｍの制御において不安定な状態を引き起こす。項ｕ−ｕｒｅｆにより、システムと電流及び磁束基準ｘｒｅｆ間のゼロではない差（上記等式（５））が導入される。発明によれば、この項ｕ−ｕｒｅｆは、従って、差ｘ−ｘｒｅｆ上に直接伝達はされない。積分器を有する上記等式（５）により定義された動的システムを通して伝達される。しかしながら、システムが電圧制限から出た場合、項ｕ−ｕｒｅｆは、０となるが、差ｘ−ｘｒｅｆは、システムの二次元配列Ａの定数に応じたある時間を経過した後にしかゼロに戻らない。
電圧制限の入出軌道のためのダイナミックスの精度を向上させるために、磁束基準を到達可能な値にし、それにより、電圧制限範囲外、及び電圧制限範囲内における電動機Ｍ制御の安定特性を保持するために電流及び磁束基準ｘｒｅｆの動的修正を実行する。電流及び磁束基準ｘｒｅｆの動的修正の原理は、次のような方法で修正値ｘｃを算出するものである。
【数７】
2006262689.tif 000009
【００２２】
この等式（７）は、ｘｃが電流及び磁束基準ｘｒｅｆに適用する算出修正値であり、ｕが電動機に加えられる制限制御電圧であり、ｕｒｅｆが電流及び磁束基準ｘｒｅｆと速度基準Ｗｒｅｆから算出され、例えば上記等式（４）により定義された基準電圧である電動機モデルを表す。
【００２３】
算出基準電圧ｕｒｅｆと制限電圧ｕ間の差は、直接、電動機モデルである一連の方程式に送出される。こうして、上に定義された公式（７）から、ｘｃの値を、電動機の状態数に等しい数の積分器（Ｉｎｔ、図２）を備えた動的システムＭＭを用いて計算する。
【００２４】
算出修正値ｘｃは、それらを修正するために、入力で直接電流及び磁束基準ｘｒｅｆに適用される。電流及び磁束修正基準ｘｒｅｆｃは、従って、電流及び磁束基準ｘｒｅｆと算出修正値ｘｃの和に等しい。
【００２５】
修正値ｘｃの計算は、ｕとｕｒｅｆの間に電圧差がある限り行われる。
【００２６】
上記等式（７）から分かるように、電圧制限外において、つまりｕとｕｒｅｆが等しい値である場合、ｘｃの値は自然とゼロへと（電動機の固有ダイナミックスに従い）収束する。これに対し、電圧制限時には、差ｕ−ｕｒｅｆは負であり、ｘｃの値は減少傾向にある。その結果、電流及び磁束修正基準ｘｒｅｆｃは、ｕとｕｒｅｆの間の電圧差がなくなるまで減少する。
電流及び磁束修正基準の値ｘｒｅｆｃは、次の等式で表される。
【数８】
2006262689.tif 000010
この計算を実行することで、次の式が得られる。
【数９】
2006262689.tif 000011
それによれば
【数１０】
2006262689.tif 000012
である上記式（２）により定義された電動機モデルから、二次元マトリックスＡが安定している場合、ｘ−ｘｒｅｆｃにより定義される、システムの状態と電流及び磁束修正基準間の差のダイナミックスは、次の式を立証することが分かる。
【数１１】
2006262689.tif 000013
電圧ｕの値に関わらず、システムの状態と電流及び磁束修正基準ｘｒｅｆｃとの間の差のダイナミックスを管理するこの式（１１）は、電圧制限の範囲外におけるシステムの状態と電流及び磁束基準との間の差のダイナミックスを管理する差ｘ−ｘｒｅｆと同一の安定特性を全機能範囲において有する。これは、電圧制限範囲外（ｘｃ＝０及びｕ＝ｕｒｅｆ）において、式（２）と式（３）とから、次の式に等しい、差ｘ−ｘｒｅｆのダイナミックスの公式が得られるからである。
【数１２】
2006262689.tif 000014
【００２７】
電圧制限範囲外において得られたシステムの安定特性は、従って、弱め磁束領域において確実に保持される。電圧制限の入出軌道は、電流及び磁束基準の動的修正により、システムの軌道に従う安全特性を変えることなく、自然と管理される。
【００２８】
本発明の範囲を逸脱することなく、他の態様や細部改良の発想、均等手段の利用も考案可能であることはもちろんである。
【図面の簡単な説明】
【００２９】
【図１】灰色部分が本発明を構成する工程を表す、電動機用調速機に用いられるベクトル制御の図。
【図２】電流及び磁束基準の動的修正を行うために本発明で用いられる電動機モデルの機能を方式化して示す図。
【符号の説明】
【００３０】
１０  基準電圧計算手段
２０  電圧制限装置
【図１】
2006262689.tif 000015
【図２】
2006262689.tif 000016